(57)【要約】【課題】固定対象を容易に取り外し可能な固定装置を提供する。【解決手段】回転部材１３０の断面は、略三角形であり、断面の３つの角は滑らかな曲面に形成されている。また、この回転部材１３０の中央近傍を回転軸１２４が貫通しており、回転部材１３０はこの回転軸１２４に正逆回転自在に支持されている。回転部材１３０は、携帯無線機２が接触する接触部１３２と、携帯無線機２の使用者が携帯無線機２を充電器２から取り出す場合に押下するための押下部１３４とを有する。携帯無線機２が充電器２に固定されている場合、回転部材１３０は、押下部１３４が携帯無線機２の使用者に押下されやすいような状態に保持される。押下部１３４が押下されると、接触部１３２が携帯無線機２を押圧し、固定部１１０が外側に弾性変形することによって、係合爪１１２と携帯無線機２の係合溝２０２との係合が解除される。【選択図】図１
2009273261.tif 000002
【特許請求の範囲】
【請求項１】
固定対象を固定する固定装置であって、
固定された前記固定対象と対向する支持部材と、
前記支持部材に配設され、前記固定対象を固定する固定部材と、
前記支持部材に回転自在に設けられ、回転させられた場合に、前記固定された固定対象を、前記支持部材から遠ざける方向に押して、前記固定対象と、前記固定部材との固定を解除する回転部材と
を有する固定装置。
【発明の詳細な説明】
【技術分野】
【０００１】
本発明は、固定対象を固定する固定装置に関する。
【背景技術】
【０００２】
たとえば、特許文献１は、携帯無線機の電池パックを充電する充電器であって、電池パックの装着とともに押しつぶされるように弾性変形する爪を設け、この爪の弾性変形により、装着された電池パックを固定保持する充電器を開示する。
【特許文献１】特開２００７−２７４７７５号公報
【発明の開示】
【発明が解決しようとする課題】
【０００３】
本発明は、上述した背景からなされたものであり、固定対象を容易に取り外すことができる固定装置を提供することを目的とする。
【課題を解決するための手段】
【０００４】
本発明に係る固定装置は、固定対象を固定する固定装置であって、固定された前記固定対象と対向する支持部材と、前記支持部材に配設され、前記固定対象を固定する固定部材と、前記支持部材に回転自在に設けられ、回転させられた場合に、前記固定された固定対象を、前記支持部材から遠ざける方向に押して、前記固定対象と、前記固定部材との固定を解除する回転部材とを有する。
【発明の効果】
【０００５】
本発明によれば、固定対象を容易に取り外し可能な固定装置を提供できる。
【発明を実施するための最良の形態】
【０００６】
以下、本発明の実施形態を説明する。
図１は、本発明の実施形態にかかる固定装置である充電器１を示す斜視図であり、図２〜図４は、充電器１に固定対象である携帯無線機２が固定されている状態を示す図である。
図２は、充電器１および携帯無線機２の斜視図である。
図３は、充電器１および携帯無線機２を図２に示す矢印Ａ方向に見た断面図であり、図４は充電器１および携帯無線機２を図２に示す矢印Ｂ方向に見た断面図である。
【０００７】
図１に示すように、充電器１は、支持部材である充電器本体１００、充電端子１０２、固定部１１０−１〜１１０−４、および、固定解除部１２０−１，１２０−２から構成される。
なお、以下、固定部１１０−１〜１１０−４など、複数ある構成部分のいずれかを特定せずに示すときには、単に、固定部１１０などと略記することがある。
【０００８】
充電器１は、携帯電話等の携帯無線機２を固定して、携帯無線機２を充電する。
充電器本体１００は、携帯無線機２が固定された場合に携帯無線機２の対向面２２と対向し、携帯無線機２に充電電力を供給するための充電回路（図示せず）を内蔵し、充電端子１０２を介して携帯無線機２に充電電力を供給する。
【０００９】
固定部１１０は、充電器本体１００の表面に設けられており、携帯無線機２を充電する場合に、以下に説明するように、携帯無線機２を充電器１に固定する。
図２に示すように、固定部１１０−１，１１０−２は、携帯無線機２の幅に対応する間隔で、互いに対向した位置に設けられており、同様に、固定部１１０−３，１１０−４も、携帯無線機２の幅に対応する間隔で、互いに対向した位置に設けられている。
【００１０】
また、固定部１１０−１〜１１０−４それぞれの先端近傍の内側（携帯無線機２が固定される側）には係合爪１１２−１〜１１２−４が形成されており、これら係合爪１１２が携帯無線機２の側面に形成された係合溝２０２に係合する。
固定部１１０は、充電器本体１００の幅方向に弾性変形できるように形成されており、携帯無線機２を充電器本体１００に固定する場合に、携帯無線機２によって固定部１１０が外側に弾性変形する。
そして、図３に示すように、係合溝２０２が係合爪１１２の位置に到達した時点で、固定部１１０は元の形状に復帰し、図３に示すように係合爪１１２が係合溝２０２と係合して、携帯無線機２が充電器本体１００に固定される。
【００１１】
固定解除部１２０−１は、回転台１２２−１、回転軸１２４−１および回転部材１３０−１から構成される。
同様に、固定解除部１２０−２は、回転台１２２−２、回転軸１２４−２および回転部材１３０−２から構成される。
回転台１２２−１は、固定部１１０−１と固定部１１０−３との間の位置に固定されている。
回転台１２２−２は、固定部１１０−２と固定部１１０−４との間に位置に固定されている。
回転軸１２４は回転台１２２に固定されている。
【００１２】
回転部材１３０の断面は、図４に示すように略三角形であり、断面の３つの角は滑らかな曲面に形成されている。
また、この回転部材１３０の中央近傍を回転軸１２４が貫通しており、回転部材１３０はこの回転軸１２４に正逆回転自在に支持されている。
また、回転部材１３０−１，１３０−２は、携帯無線機２が接触する接触部１３２−１，１３２−２と、携帯無線機２の使用者が携帯無線機２を充電器２から取り出す場合に押下するための押下部１３４−１，１３４−２とを有する。
【００１３】
携帯無線機２が充電器２に固定されていない場合、回転部材１３０は、図１に示すように、自身の平衡が保たれた位置にある。
一方、回転台１２２−１，１２２−２の下部には突起部１２６−１，１２６−２が形成されており、この突起部１２６に接触部１３２の裏側が当接することによって、回転部材１３０の押下部１３４側が内側（携帯無線機２側）に位置しないようになっている。
【００１４】
携帯無線機２を充電器２に固定する場合、上述したように、回転部材１３０の押下部１３４側が内側に位置しないようになっているので、携帯無線機２の充電器本体１００との対向面２２は接触部１３２と接触し、それによって回転部材１３０は図４に示す矢印Ｃ方向に回転する。
この場合、突起部１２６によって回転部材１３０の矢印Ｃ方向への回転が阻止され、さらに携帯無線機２によって回転部材１３０の矢印Ｃ方向とは逆方向への回転も阻止されているので、押下部１３４は図４において上側（図２において手前側）を向くようになっている。
したがって、携帯無線機２が充電器２に固定されている場合、回転部材１３０は、押下部１３４が携帯無線機２の使用者に押下されやすいような状態に保持される。
【００１５】
図５は、携帯無線機２が充電器１から取り出される態様を示す図であり、（Ａ）は回転部材１３０の接触部１３２が携帯無線機２に接触している状態を示し、（Ｂ）は携帯無線機２が充電器１から取り外された状態を示す。
携帯無線機２の使用者の指によって矢印Ｄ方向に押下部１３４が押下されると、回転部材１３０は回転軸１２４を軸として矢印Ｅ方向に回転し、図５（Ａ）に示すように、接触部１３２が、携帯無線機２の対向面２２と接する角部２４−１，２４−２に当接する。
携帯無線機２の使用者の指によってさらに押下部１３４が矢印Ｄ方向に押下されると、接触部１３２−１，１３２−２が携帯無線機２の角部２４を押圧し、それによって、携帯無線機２に、充電器本体１００から離れる方向（矢印Ｆで示す）の力が働き、固定部１１０が外側に弾性変形することによって、係合爪１１２と携帯無線機２の係合溝２０２との係合が解除される。
【００１６】
携帯無線機２の使用者の指によってさらに押下部１３４が矢印Ｄ方向に押下されると、回転部材１３０は矢印Ｅ方向にさらに回転し、接触部１３２−１，１３２−２が携帯無線機２の角部２４および対向面２２を押圧して、図５（Ｂ）に示すように携帯無線機２が持ち上げられる。
図５（Ｂ）に示す位置に携帯無線機２が持ち上げられると、携帯無線機２の使用者は、厚手の手袋などを装着した場合であっても、携帯無線機２を容易に掴むことができる。
以上のようにして、携帯無線機２の使用者は、押下部１３４を押下するという簡単な動作のみによって、携帯無線機２を充電器１から取り外し、取り外した携帯無線機２を容易に掴むことができる。
【００１７】
上述した例においては、固定装置を充電器としたが、固定対象を固定する装置であれば充電器でなくてもよい。
また、上述した例においては、固定対象を携帯無線機としたが、固定装置に固定されるものであれば携帯無線機でなくてもよい。
また、上述した例においては、固定部１１０は４つ、固定解除部１２０は２つ設けられるとしたが、固定部１１０および固定解除部１２０は、それぞれ、いくつ設けられてもよい。
また、上述した例においては、固定解除部１２０は複数の固定部１１０の間に設けられるとしたが、固定部１１０の間に設けられていなくてもよい。
【００１８】
また、上述した例においては、固定部１１０は、係合爪１１２が係合溝２０２に係合することによって固定対象を固定するとしたが、固定対象を固定できる形状であれば、係合爪および係合溝はなくてもよい。
また、上述した例においては、固定部１１０が弾性変形するとしたが、固定部１１０が弾性変形しなくとも、たとえば、携帯無線機２を充電器１に固定する際に、係合爪１１２が固定部１１０に押し込まれるように形成されるようにしてもよい。
また、上述した例においては、係合爪１１２は固定部１１０の先端近傍に形成され、係合溝２０２は携帯無線機２に形成されるとしたが、携帯無線機２に突起を設け、固定部１１０に設けられた係合溝にその突起が係合するようにしてもよい。
さらに、図２において、充電器２は、携帯無線機２を直立状態で固定しているが、携帯無線機２を横に倒した状態で固定するようにしてもよい。
【図面の簡単な説明】
【００１９】
【図１】本発明の実施形態にかかる充電器を示す斜視図である。
【図２】充電器および携帯無線機の斜視図である。
【図３】充電器および携帯無線機の断面図である。
【図４】充電器および携帯無線機の断面図である。
【図５】携帯無線機が充電器から取り出される態様を示す図である。
【符号の説明】
【００２０】
１・・・充電器，
１００・・・充電器本体，
１０２・・・充電端子，
１１０−１，１１０−２，１１０−３，１１０−４・・・固定部，
１１２−１，１１２−２，１１２−３，１１２−４・・・係合爪，
１２０−１，１２０−２・・・固定解除部，
１２２−１，１２２−２・・・回転台，
１２４−１，１２４−２・・・回転軸，
１３０−１，１３０−２・・・回転部材，
１３２−１，１３２−２・・・接触部，
１３４−１，１３４−２・・・押下部，
２・・・携帯無線機，
２０２・・・係合溝，
【図１】
2009273261.tif 000003
【図２】
2009273261.tif 000004
【図３】
2009273261.tif 000005
【図４】
2009273261.tif 000006
【図５】
2009273261.tif 000007